(57)【要約】【課題】組織に属する特定の人物の睡眠の取り方と、組織に属する人物であって特定の人物とは異なる人物の睡眠の取り方との関係を踏まえて、特定の人物の組織での働き方を管理する。【解決手段】組織に属する複数の人物の睡眠の際における生体に関する生体情報を取得する生体情報取得手段と、生体情報取得手段に取得された複数の人物の生体情報に基づき、組織に属する特定の人物の組織での働き方に関する情報を生成する生成手段と、を備える、情報処理システム。【選択図】図５
2020190939.tif 000002
【特許請求の範囲】
【請求項１】
組織に属する複数の人物の睡眠の際における生体に関する生体情報を取得する生体情報取得手段と、
前記生体情報取得手段に取得された前記複数の人物の前記生体情報に基づき、前記組織に属する特定の人物の当該組織での働き方に関する情報を生成する生成手段と、
を備える、情報処理システム。
【請求項２】
前記生成手段は、前記働き方に関する情報として、前記特定の人物の前記組織における評価に関する情報を生成することを特徴とする請求項１記載の情報処理システム。
【請求項３】
前記特定の人物の前記組織での業務に関する業務情報を取得する業務情報取得手段をさらに備え、
前記生成手段は、前記複数の人物の前記生体情報および前記特定の人物の前記業務情報に基づき、当該特定の人物の前記評価に関する情報を生成することを特徴とする請求項２記載の情報処理システム。
【請求項４】
前記生成手段は、前記複数の人物の前記生体情報に基づき、前記組織の評価に関する情報を生成することを特徴とする請求項１記載の情報処理システム。
【請求項５】
前記生成手段は、前記働き方に関する情報として、前記特定の人物の休職および／または離職に関する情報を生成することを特徴とする請求項１記載の情報処理システム。
【請求項６】
前記生成手段は、前記働き方に関する情報として、休職中である前記特定の人物の復職に関する情報を生成することを特徴とする請求項１記載の情報処理システム。
【請求項７】
前記特定の人物の前記組織での業務に関する業務情報を取得する業務情報取得手段をさらに備え、
前記生成手段は、前記複数の人物の前記生体情報に基づき、前記働き方に関する情報として、前記特定の人物の休暇に関する情報を生成することを特徴とする請求項１記載の情報処理システム。
【請求項８】
コンピュータに、
組織に属する複数の人物の睡眠の際における生体に関する生体情報を取得する取得機能と、
前記取得機能に取得された前記複数の人物の前記生体情報に基づき、前記組織に属する特定の人物の当該組織での働き方に関する情報を生成する生成機能と、
を実現させるためのプログラム。
【発明の詳細な説明】
【技術分野】
【０００１】
本発明は、情報処理システムおよびプログラムに関する。
【背景技術】
【０００２】
例えば特許文献１には、仕事を行っている作業者の脳状態を検出し、検出結果に基づいて作業者の集中レベル及び感情レベルを測定し、測定結果に基づいて作業者による作業の生産性を判定する生産性判定装置が開示されている。
例えば特許文献２には、睡眠時間やピッツバーグ睡眠問診項目等の問診項目に基づいて、組織に所属する者や新規採用予定者の人事管理を行う人事管理支援システムが開示されている。
【先行技術文献】
【特許文献】
【０００３】
【特許文献１】特開２０１８−１８１２４５号公報
【特許文献２】特許第６４１８６７１号公報
【発明の概要】
【発明が解決しようとする課題】
【０００４】
例えば、組織に属する人物の睡眠の取り方からこの人物の評価を行うことで、人物の管理を行う技術が存在する。しかしながら、組織に属する特定の人物における睡眠の取り方からこの特定の人物の管理を行う場合に、この特定の人物とは異なる人物の睡眠の取り方と特定の人物の睡眠の取り方との関係を踏まえた管理は行われていなかった。
【０００５】
本発明の目的は、組織に属する特定の人物の睡眠の取り方と、組織に属する人物であって特定の人物とは異なる人物の睡眠の取り方との関係を踏まえて、特定の人物の組織での働き方を管理することにある。
【課題を解決するための手段】
【０００６】
請求項１に記載の発明は、組織に属する複数の人物の睡眠の際における生体に関する生体情報を取得する生体情報取得手段と、前記生体情報取得手段に取得された前記複数の人物の前記生体情報に基づき、前記組織に属する特定の人物の当該組織での働き方に関する情報を生成する生成手段と、を備える、情報処理システムである。
請求項２に記載の発明は、前記生成手段は、前記働き方に関する情報として、前記特定の人物の前記組織における評価に関する情報を生成することを特徴とする請求項１記載の情報処理システムである。
請求項３に記載の発明は、前記特定の人物の前記組織での業務に関する業務情報を取得する業務情報取得手段をさらに備え、前記生成手段は、前記複数の人物の前記生体情報および前記特定の人物の前記業務情報に基づき、当該特定の人物の前記評価に関する情報を生成することを特徴とする請求項２記載の情報処理システムである。
請求項４に記載の発明は、前記生成手段は、前記複数の人物の前記生体情報に基づき、前記組織の評価に関する情報を生成することを特徴とする請求項１記載の情報処理システムである。
請求項５に記載の発明は、前記生成手段は、前記働き方に関する情報として、前記特定の人物の休職および／または離職に関する情報を生成することを特徴とする請求項１記載の情報処理システムである。
請求項６に記載の発明は、前記生成手段は、前記働き方に関する情報として、休職中である前記特定の人物の復職に関する情報を生成することを特徴とする請求項１記載の情報処理システムである。
請求項７に記載の発明は、前記特定の人物の前記組織での業務に関する業務情報を取得する業務情報取得手段をさらに備え、前記生成手段は、前記複数の人物の前記生体情報に基づき、前記働き方に関する情報として、前記特定の人物の休暇に関する情報を生成することを特徴とする請求項１記載の情報処理システムである。
請求項８に記載の発明は、コンピュータに、組織に属する複数の人物の睡眠の際における生体に関する生体情報を取得する取得機能と、前記取得機能に取得された前記複数の人物の前記生体情報に基づき、前記組織に属する特定の人物の当該組織での働き方に関する情報を生成する生成機能と、を実現させるためのプログラムである。
【発明の効果】
【０００７】
本発明によれば、組織に属する特定の人物の睡眠の取り方と、組織に属する人物であって特定の人物とは異なる人物の睡眠の取り方との関係を踏まえて、特定の人物の組織での働き方を管理することができる。
【図面の簡単な説明】
【０００８】
【図１】働き方管理システムの全体構成例を示す図である。
【図２】サーバおよび端末のハードウェア構成例を示す図である。
【図３】サーバの機能構成例を示した図である。
【図４】組織人情報管理テーブルを示した図である。
【図５】人物評価表示処理の流れを示したフローチャートである。
【図６】リスク評価表示処理の流れを示したフローチャートである。
【図７】休暇情報表示処理の流れを示したフローチャートである。
【図８】組織評価表示処理の流れを示したフローチャートである。
【図９】組織人評価通知画面を示した図である。
【図１０】組織人評価比較画面を示した図である。
【図１１】リスク通知画面を示した図である。
【図１２】復職情報通知画面を示した図である。
【図１３】休暇情報通知画面を示した図である。
【図１４】組織評価通知画面を示した図である。
【発明を実施するための形態】
【０００９】
以下、添付図面を参照して、本発明の実施形態について詳細に説明する。
＜働き方管理システムの構成＞
図１は、本実施形態に係る働き方管理システム１の全体構成例を示した図である。
本実施形態に係る働き方管理システム１は、組織に属する人物の組織での働き方に関する情報を生成し、この人物の組織での働き方を管理するシステムである。組織に属する人物を、以下では、組織人と称する。組織人としては、例えば、会社の従業員が挙げられる。もっとも、組織人は、組織に属する何れの人物であってもよい。
働き方管理システム１は、サーバ１０と、マットセンサ２０と、端末３０とを備える。サーバ１０と、マットセンサ２０および端末３０とは、ネットワークを介して接続されている。
【００１０】
サーバ１０は、組織人の睡眠の際における生体に関する情報を取得する。組織人の睡眠の際における生体に関する情報を、以下では、生体情報と称する。サーバ１０は、取得した生体情報に基づいて、組織人の組織での働き方に関する情報を生成する。また、サーバ１０は、生成した情報を、端末３０に表示させる。
【００１１】
サーバ１０は、例えば、コンピュータにより実現される。サーバ１０は、単一のコンピュータにより構成しても良いし、複数のコンピュータによる分散処理により実現しても良い。また、サーバ１０は、クラウドコンピューティングにより提供される仮想的なハードウェア上にて実現してもよい。
【００１２】
マットセンサ２０は、組織人に用いられる寝具のマット等に取り付けられる。そして、マットセンサ２０は、組織人が寝具を使用中であるときの組織人の生体を検知し、検知結果に基づき、この組織人の生体情報を生成する。マットセンサ２０は、生成した生体情報を、マットセンサ２０を識別するセンサ識別情報とともに、サーバ１０へ送信する。なお、マットセンサ２０は、組織人ごとに設けられている。
【００１３】
生体情報としては、例えば、心拍数に関する情報、呼吸に関する情報、体動に関する情報等が挙げられる。また、生体情報としては、被検者による寝具の使用に関する情報等が挙げられる。すなわち、「睡眠の際における生体に関する生体情報」には、組織人の睡眠中の生体に関する情報のみならず、組織人が睡眠していないものの組織人が寝具を使用中であるときの生体に関する情報も含まれる。もっとも、生体情報は、上記の情報には限定されない。
【００１４】
端末３０は、情報を表示する表示部３１を有する。端末３０は、サーバ１０から情報を取得すると、取得したこの情報を表示部３１に表示する。
端末３０は、組織人に用いられるものであってもよいし、組織において組織人を管理する管理者に用いられるものであってもよい。すなわち、端末３０は、組織に関する者に用いられるものであればよい。
端末３０は、例えば、コンピュータ、タブレット型情報端末、その他の情報処理装置により実現される。端末３０は、例えば、スマートフォンであってもよい。すなわち、端末３０は、何れの種類の端末であってもよい。
【００１５】
サーバ１０とマットセンサ２０および端末３０との接続に用いられるネットワークは、データの送受信が可能であれば、その種類は特に限定されず、例えばインターネット、ＬＡＮ（Local Area Network）、ＷＡＮ（Wide Area Network）等として良い。データの送受信に用いられる通信回線は、有線であっても無線であっても良い。また、複数のネットワークや通信回線を介して各装置を接続する構成としても良い。
【００１６】
＜ハードウェア構成例＞
図２は、サーバ１０および端末３０のハードウェア構成例を示す図である。
図２に示すように、サーバ１０および端末３０は、演算手段であるＣＰＵ(Central Processing Unit)１００ａと、主記憶手段であるメモリ１００ｃとを備える。また、各装置は、外部デバイスとして、不揮発性記録デバイス１００ｇ、ネットワークインターフェイス１００ｆ、表示機構１００ｄ、音声機構１００ｈ、キーボードやマウス等の入力デバイス１００ｉ等を備える。
【００１７】
メモリ１００ｃおよび表示機構１００ｄは、システムコントローラ１００ｂを介してＣＰＵ１００ａに接続されている。また、ネットワークインターフェイス１００ｆ、不揮発性記録デバイス１００ｇ、音声機構１００ｈおよび入力デバイス１００ｉは、ブリッジコントローラ１００ｅを介してシステムコントローラ１００ｂと接続されている。各構成要素は、システムバスや入出力バスなどの各種のバスによって接続される。
【００１８】
不揮発性記録デバイス１００ｇには、各機能を実現するためのプログラムが格納されている。そして、このプログラムがメモリ１００ｃにロードされ、このプログラムに基づく処理がＣＰＵ１００ａにより実行されることで、各種の機能が実現される。不揮発性記録デバイス１００ｇとしては、例えば、ＳＳＤ（Solid State Drive）等の半導体メモリやＨＤＤ（Hard Disk Drive）等の磁気ディスク装置などが挙げられる。
【００１９】
＜サーバの機能構成＞
次に、サーバ１０の機能構成について説明する。
図３は、サーバ１０の機能構成例を示した図である。
サーバ１０は、マットセンサ２０や端末３０から情報を取得する情報取得部１１と、生体情報等を記憶する記憶部１２と、情報を端末３０に出力させる出力制御部１３とを備える。また、サーバ１０は、組織人の働き方を評価する人物評価部１４と、組織人の休職に関するリスクを評価するリスク評価部１５と、組織人が休暇を取得するべき日にちを提案する休暇提案部１６と、組織を評価する組織評価部１７とを備える。
【００２０】
生体情報取得手段の一例としての情報取得部１１は、例えば、１秒ごとに、マットセンサ２０から、生体情報とセンサ識別情報とを取得する。ここで、例えば、組織人ごとに、組織人を識別する人識別情報と、この組織人に用いられるマットセンサ２０を識別するセンサ識別情報とが予め関連付けられてサーバ１０に登録されることで、センサ識別情報から特定されるマットセンサ２０を用いる組織人が特定される。
【００２１】
また、情報取得部１１は、例えば、１日ごとに、端末３０から、組織人の業務に関する情報を、この組織人を識別する人識別情報とともに取得する。組織人の業務に関する情報を、以下では、業務情報と称する。業務情報としては、例えば、組織人の勤務時間、組織人が担当している業務、組織人が単位時間当たりに行った業務、業務態度、組織人が現職中であるか休職中であるか等の情報が挙げられる。もっとも、業務情報は、上記の情報には限定されない。業務情報は、例えば、文字として端末３０に入力されてもよいし、音声として端末３０に入力されてもよい。また、業務情報は、例えば、アンケートの回答として端末３０に入力されてもよい。なお、情報取得部１１は、組織人に係る業務情報を取得する業務情報取得手段としても捉えられる。
情報取得部１１は、取得した生体情報や業務情報を記憶部１２に送信する。
【００２２】
記憶部１２は、情報取得部１１から送信された生体情報や業務情報を、これらの情報の対象者である組織人に関連付けて記憶する。記憶部１２の記憶内容については、後に詳述する。
【００２３】
出力制御部１３は、人物評価部１４、リスク評価部１５、休暇提案部１６、組織評価部１７等にて生成された情報を、端末３０に出力させる。より具体的には、出力制御部１３は、端末３０に対して情報を送信することにより、送信した情報を端末３０の表示部３１に表示させたり、送信した情報を音声により端末３０に出力させたりする。
【００２４】
人物評価部１４は、記憶部１２に記憶されている生体情報および業務情報から、組織人の組織での働き方を評価する。人物評価部１４は、生体情報から特定される組織人の心拍数、呼吸障害の有無、体動の有無等に基づいて、１秒当たりの組織人の睡眠の状態を判定する。睡眠の状態としては、例えば、レム睡眠の状態、ノンレム睡眠の状態、睡眠していない状態等が挙げられる。また、人物評価部１４は、例えば、判定結果に基づいて、組織人の睡眠の時間帯、睡眠時間、レム睡眠とノンレム睡眠との周期、睡眠深度等、組織人の睡眠に関する情報を生成する。睡眠深度とは、睡眠の深さの程度である。さらに、人物評価部１４は、組織に属する各組織人について上記の睡眠に関する情報を生成する。
【００２５】
人物評価部１４は、各組織人について生成した睡眠に関する情報と、一の組織人について生成した睡眠に関する情報との関係や、この一の組織人に係る業務情報に基づいて、この一の組織人の働き方の評価を行う。人物評価部１４は、例えば、一の組織人の睡眠時間が、各組織人の睡眠時間の平均値に比べて長い場合には、短い場合よりも、この一の組織人の働き方を高評価する。また、人物評価部１４は、例えば、一の組織人の睡眠深度が、各組織人の睡眠深度の平均値に比べて高い場合には、低い場合よりも、この一の組織人の働き方を高評価する。これらの評価手法は、質の高い睡眠を取っている組織人ほど集中力が高くなりやすく、効率的に業務を行うため、質の高い睡眠を取っている組織人ほど働き方が高評価になる、という考え方に基づくものである。また、上記の各手法に基づく評価を組み合わせることで組織人の働き方を評価してもよい。もっとも、人物評価部１４による評価の手法は、上記の態様に限定されない。
人物評価部１４は、各組織人について、働き方の評価を行う。そして、評価結果を、出力制御部１３を介して、端末３０の表示部３１に表示させる。
【００２６】
リスク評価部１５は、記憶部１２に記憶されている生体情報および業務情報から、現職中である組織人が休職するリスクを評価する。リスク評価部１５は、人物評価部１４と同じ手法により、各組織人についての睡眠に関する情報を生成する。そして、リスク評価部１５は、各組織人についての睡眠に関する情報や業務情報と、一の組織人についての睡眠に関する情報や業務情報との関係から、この一の組織人が休職するリスクの評価を行う。リスク評価部１５は、例えば、一の組織人の勤務時間が、各組織人の勤務時間の平均値に比べて長い場合には、短い場合よりも、この一の組織人が休職するリスクを高く評価する。また、リスク評価部１５は、例えば、一の組織人の睡眠時間が、各組織人の睡眠時間の平均値に比べて短い場合には、長い場合よりも、この一の組織人が休職するリスクを高く評価する。また、リスク評価部１５は、例えば、一の組織人の睡眠深度が、各組織人の睡眠深度の平均値に比べて低い場合には、高い場合よりも、この一の組織人が休職するリスクを高く評価する。これらの評価手法は、勤務時間が長い組織人や、質の低い睡眠を取っている組織人ほど、属している組織にて働くことにストレスを感じやすいため、休職のリスクが高く評価される、という考え方に基づくものである。また、上記の各手法に基づく評価を組み合わせることで組織人が休職するリスクを評価してもよい。もっとも、リスク評価部１５による評価の手法は、上記の態様に限定されない。リスク評価部１５は、各組織人について、組織人が休職するリスクの評価を行う。
【００２７】
また、リスク評価部１５は、組織人が休職するリスクの程度が予め定められた度合以上であると評価した場合、この組織人の働き方の改善案を作成する。改善案としては、例えば、休職のリスクを低くするための組織人の勤務時間帯の提案や、休職のリスクを低くするための業務内容の提案等が挙げられる。
【００２８】
また、リスク評価部１５は、組織人が休職中である場合、各組織人についての睡眠に関する情報と、休職中である組織人についての睡眠に関する情報との関係から、休職中である組織人が復職可能であるか否かを判定する。リスク評価部１５は、例えば、休職中である一の組織人の睡眠時間が、各組織人の睡眠時間の平均値よりも長い場合に、この一の組織人が復職可能であると判定してもよい。さらに、リスク評価部１５は、組織人が復職可能であると判定した場合に、この組織人の復職時期の提案や、この組織人が復職した場合の業務内容の提案等の情報を生成する。
リスク評価部１５は、組織人が休職するリスクの評価結果、組織人の働き方の改善案、および、組織人の復職等に関して生成した情報を、出力制御部１３を介して、端末３０に表示させる。
【００２９】
休暇提案部１６は、記憶部１２に記憶されている生体情報および業務情報から、組織人が休暇を取得すべき日にちを提案する。休暇提案部１６は、まず、記憶部１２に蓄積されている生体情報や業務情報から組織人の疲労度の傾向を予測し、この予測結果から、組織人の将来の疲労度を予測する。また、休暇提案部１６は、各組織人について、将来の疲労度を予測する。そして、休暇提案部１６は、各組織人について予測した将来の疲労度と、一の組織人について予測した将来の疲労度との関係から、この一の組織人が休暇を取得すべき日にちを決定する。休暇提案部１６は、例えば、組織に属する全ての組織人のうちの一の組織人の疲労度が最も高くなると予測した日にちを、この一の組織人が休暇を取得すべき日にちに決定してもよい。
休暇提案部１６は、組織人が休暇を取得すべき日にちを決定すると、決定した日にちに関する情報を生成し、生成した情報を、出力制御部１３を介して、端末３０の表示部３１に表示させる。
【００３０】
組織評価部１７は、記憶部１２に記憶されている生体情報から、組織を評価する。組織評価部１７は、生体情報に基づいて、組織における各組織人の睡眠時間の平均値、睡眠の平均の時間帯、および睡眠深度の平均値等、組織における各組織人の睡眠の指標を算出する。また、組織評価部１７は、各組織について、組織における各組織人の睡眠の指標を算出する。そして、各組織についての睡眠の指標と、一の組織の睡眠の指標との関係から、この一の組織による組織人の働かせ方の評価を行う。組織評価部１７は、例えば、一の組織における各組織人の睡眠時間の平均値が、各組織における各組織人の睡眠時間の平均値に比べて長い場合には、短い場合よりも、この一の組織による組織人の働かせ方を高評価する。また、組織評価部１７は、例えば、一の組織における組織人の睡眠深度の平均値が、各組織における組織人の睡眠深度の平均値に比べて高い場合には、低い場合よりも、この一の組織による組織人の働かせ方を高評価する。これらの評価手法は、質の高い睡眠を取っている組織人が多い組織ほど、各組織人がストレスを溜めにくく、また集中して効率的に業務を行うため、質の高い睡眠を取っている組織人が多い組織ほど働かせ方が高評価になる、という考え方に基づくものである。さらに、上記の各手法に基づく評価を組み合わせることで組織による組織人の働かせ方を評価してもよい。もっとも、組織評価部１７による評価の手法は、上記の態様に限定されない。
【００３１】
組織評価部１７は、各組織について、組織人の働かせ方の評価を行う。そして、評価結果を、出力制御部１３を介して、端末３０の表示部３１に表示させる。
なお、人物評価部１４、リスク評価部１５、休暇提案部１６、および組織評価部１７は、それぞれ、組織人の組織での働き方に関する情報を生成する生成手段として捉えられる。
【００３２】
＜記憶部の記憶内容＞
次に、記憶部１２に記憶されている情報の内容について説明する。
図４は、組織人情報管理テーブルを示した図である。組織人情報管理テーブルは、組織人に関する情報を管理するためのテーブルである。この組織人情報管理テーブルは、組織ごとに設けられている。図４には、組織である「Ａ会社」の組織人情報管理テーブルが示されている。
【００３３】
組織人情報管理テーブルでは、「組織人」に、組織人の名前が示されている。また、「生体情報」には、情報取得部１１に取得された生体情報が示されている。また、「業務情報」に、情報取得部１１に取得された業務情報が示されている。
なお、「生体情報」には、例えば１秒ごとの情報が示されている。また、「業務情報」には、例えば一日ごとの情報が示されている。
なお、記憶部１２には、人物評価部１４、リスク評価部１５、休暇提案部１６、および組織評価部１７に生成された情報が記憶されてもよい。
【００３４】
＜人物評価表示処理＞
次に、人物評価表示処理の流れについて説明する。人物評価表示処理は、サーバ１０が、組織人の組織での働き方を評価し、評価結果を端末３０の表示部３１に表示させる処理である。
図５は、人物評価表示処理の流れを示したフローチャートである。
【００３５】
情報取得部１１は、マットセンサ２０から、生体情報を取得する（Ｓ１０１）。情報取得部１１に取得された生体情報は、記憶部１２に記憶される。
情報取得部１１は、端末３０から、業務情報を取得する（Ｓ１０２）。情報取得部１１に取得された業務情報は、記憶部１２に記憶される。
【００３６】
人物評価部１４は、組織人の働き方の評価を実施するか否かを判定する（Ｓ１０３）。否定結果が継続している間、人物評価部１４は、ステップ１０３の判定動作を繰り返す。一方で、例えば、端末３０のユーザが、組織人の評価の実施を端末３０にて指示することにより、人物評価部１４が、端末３０から、評価の実施の依頼を受けると、肯定結果を得て、ステップ１０４へ進む。また、例えば、人物評価部１４は、一ヶ月ごと等、予め定められた期間ごとに、組織人の評価を実施すると判定してもよい。
【００３７】
人物評価部１４は、組織に属する各組織人に係る生体情報および業務情報に基づいて、組織人ごとに、組織人の組織における働き方の評価を実施する（Ｓ１０４）。
人物評価部１４は、評価結果を、出力制御部１３を介して、端末３０の表示部３１に表示させる（Ｓ１０５）。
【００３８】
＜リスク評価表示処理＞
次に、リスク評価表示処理の流れについて説明する。リスク評価表示処理は、サーバ１０が、組織人が休職するリスクを評価し、評価結果を端末３０の表示部３１に表示させる処理である。
図６は、リスク評価表示処理の流れを示したフローチャートである。
【００３９】
情報取得部１１は、マットセンサ２０から、生体情報を取得する（Ｓ２０１）。情報取得部１１に取得された生体情報は、記憶部１２に記憶される。
情報取得部１１は、端末３０から、業務情報を取得する（Ｓ２０２）。情報取得部１１に取得された業務情報は、記憶部１２に記憶される。
【００４０】
リスク評価部１５は、組織人が休職するリスクの評価を実施するか否かを判定する（Ｓ２０３）。否定結果が継続している間、リスク評価部１５は、ステップ２０３の判定動作を繰り返す。一方で、例えば、端末３０のユーザが、組織人が休職するリスクの評価の実施を端末３０にて指示することにより、リスク評価部１５が、端末３０から、評価の実施の依頼を受けると、肯定結果を得て、ステップ２０４へ進む。また、例えば、リスク評価部１５は、一ヶ月ごと等、予め定められた期間ごとに、リスクの評価を実施すると判定してもよい。
【００４１】
リスク評価部１５は、記憶部１２に記憶されている業務情報に基づいて、組織人が休職中であるか否かを判定する（Ｓ２０４）。なお、ステップ２０４以降の処理は、例えば、組織人ごとに行われる。
組織人が休職中ではない場合（Ｓ２０４にてＮＯ）、リスク評価部１５は、組織に属する各組織人に係る生体情報および業務情報に基づいて、組織人が休職するリスクの評価を実施する（Ｓ２０５）。
【００４２】
リスク評価部１５は、評価したリスクの程度が予め定められた度合以上であるか否かを判定する（Ｓ２０６）。
リスク評価部１５に評価されたリスクの程度が予め定められた度合に達しない場合（Ｓ２０６にてＮＯ）、リスク評価部１５は、リスクの評価結果を、出力制御部１３を介して、端末３０の表示部３１に表示させる（Ｓ２０７）。
【００４３】
一方、リスク評価部１５に評価されたリスクの程度が予め定められた度合以上である場合（Ｓ２０６にてＹＥＳ）、リスク評価部１５は、組織人の働き方の改善案を作成する（Ｓ２０８）。
リスク評価部１５は、リスクの評価結果および作成した改善案を、出力制御部１３を介して、端末３０の表示部３１に表示させる（Ｓ２０９）。
【００４４】
また、組織人が休職中である場合（Ｓ２０４にてＹＥＳ）、リスク評価部１５は、各組織人に係る生体情報に基づいて、組織人の復職に関する情報を生成する（Ｓ２１０）。
リスク評価部１５は、生成した復職に関する情報を、出力制御部１３を介して、端末３０の表示部３１に表示させる（Ｓ２１１）。
【００４５】
＜休暇情報表示処理＞
次に、休暇情報表示処理の流れについて説明する。休暇情報表示処理は、サーバ１０が、組織人が休暇を取得すべき日にちに関する情報を生成し、生成した情報を端末３０に表示させる処理である。
図７は、休暇情報表示処理の流れを示したフローチャートである。
【００４６】
情報取得部１１は、マットセンサ２０から、生体情報を取得する（Ｓ３０１）。情報取得部１１に取得された生体情報は、記憶部１２に記憶される。
情報取得部１１は、端末３０から、業務情報を取得する（Ｓ３０２）。情報取得部１１に取得された業務情報は、記憶部１２に記憶される。
【００４７】
休暇提案部１６は、組織人が休暇を取得すべき日にちの提案を実施するか否かを判定する（Ｓ３０３）。否定結果が継続している間、休暇提案部１６は、ステップ３０３の判定動作を繰り返す。また、例えば、端末３０のユーザが、休暇の提案の実施を端末３０にて指示することにより、休暇提案部１６が、端末３０から、休暇の提案の依頼を受けると、肯定結果を得て、ステップ３０４へ進む。また、例えば、休暇提案部１６は、一週間ごと等、予め定められた期間ごとに、休暇の提案を実施すると判定してもよい。
【００４８】
休暇提案部１６は、組織人が休暇を取得すべき日にちを抽出可能であるか否かを判定する（Ｓ３０４）。より具体的には、休暇提案部１６は、各組織人に係る生体情報および業務情報に基づいて各組織人の将来の疲労度を予測する。そして、各組織人についての疲労度の予測結果から、組織人について、休暇を取得すべき日にちとして条件を満たす日にちが存在するか否かを判定する。条件を満たす日にちが存在しない場合（Ｓ３０４にてＮＯ）、休暇情報表示処理を終了する。なお、ステップ３０４以降の処理は、例えば、組織人ごとに行われる。
【００４９】
一方、休暇を取得すべき日にちとして条件を満たす日にちが存在する場合（Ｓ３０４にてＹＥＳ）、休暇提案部１６は、組織人に係る業務情報に基づいて、条件を満たす日にちについて組織人が休暇を取得することを制限するか否かを判定する（Ｓ３０５）。休暇提案部１６は、例えば、条件を満たす日にちの業務量に基づいて、条件を満たす日にちに組織人が休暇を取得することを制限するか否かを判定する。
【００５０】
休暇提案部１６は、組織人が休暇を取得することを制限すると判定した場合（Ｓ３０５にてＹＥＳ）、制限した日にち以外の日にちについて、組織人が休暇を取得すべき日にちを抽出可能であるかについて、ステップ３０４以降の処理を行う。
【００５１】
一方、休暇提案部１６は、組織人が休暇を取得することを制限しないと判定した場合（Ｓ３０５にてＮＯ）、抽出した日にちを、組織人が休暇を取得すべき日にちに決定する。休暇提案部１６は、決定した日にちを対象として、組織人が休暇を取得すべき日にちに関する情報を生成する（Ｓ３０６）。
休暇提案部１６は、生成した情報を、出力制御部１３を介して、端末３０の表示部３１に表示させる（Ｓ３０７）。
【００５２】
＜組織評価表示処理＞
次に、組織評価表示処理の流れについて説明する。組織評価表示処理は、サーバ１０が、組織による組織人の働かせ方を評価し、評価結果を端末３０の表示部３１に表示させる処理である。
図８は、組織評価表示処理の流れを示したフローチャートである。
【００５３】
情報取得部１１は、マットセンサ２０から、生体情報を取得する（Ｓ４０１）。情報取得部１１に取得された生体情報は、記憶部１２に記憶される。
情報取得部１１は、端末３０から、業務情報を取得する（Ｓ４０２）。情報取得部１１に取得された業務情報は、記憶部１２に記憶される。
【００５４】
組織評価部１７は、組織による組織人の働かせ方の評価を実施するか否かを判定する（Ｓ４０３）。否定結果が継続している間、組織評価部１７は、ステップ４０３の判定動作を繰り返す。また、例えば、端末３０のユーザが、組織の評価の実施を端末３０にて指示することにより、組織評価部１７が、端末３０から、組織の評価の依頼を受けると、肯定結果を得て、ステップ４０４へ進む。また、例えば、組織評価部１７は、一ヶ月ごと等、予め定められた期間ごとに、組織の評価を実施すると判定してもよい。
【００５５】
組織評価部１７は、各組織における各組織人に係る生体情報に基づいて、組織による組織人の働かせ方の評価を実施する（Ｓ４０４）。より具体的には、組織評価部１７は、組織の評価を示す値を算出する。なお、このステップ４０４以降の処理は、例えば、組織ごとに行われる。
組織評価部１７は、算出した値が、予め定められた値以上であるか否かを判定する（Ｓ４０５）。
【００５６】
組織評価部１７は、算出した値が予め定められた値以上である場合（Ｓ４０５にてＹＥＳ）、組織の評価結果を、出力制御部１３を介して、端末３０の表示部３１に表示させる（Ｓ４０６）。
【００５７】
一方、組織評価部１７は算出した値が予め定められた値未満である場合（Ｓ４０５にてＮＯ）、組織による組織人の働かせ方が適正ではないことを示す非適正情報を生成する（Ｓ４０７）。
組織評価部１７は、組織の評価結果および非適正情報を、出力制御部１３を介して、端末３０の表示部３１に表示させる（Ｓ４０８）。
【００５８】
以上のように、本実施形態では、サーバ１０は、情報取得部１１に取得された複数の人物の生体情報に基づき、組織に属する特定の人物の組織での働き方に関する情報を生成する。
この場合、組織に属する特定の人物の睡眠の取り方と、組織に属する人物であって特定の人物とは異なる人物の睡眠の取り方との関係を踏まえて、特定の人物の組織での働き方を管理できるようになる。
【００５９】
また、本実施形態では、人物評価部１４は、働き方に関する情報として、特定の人物の組織における評価に関する情報を生成する。
この場合、組織に属する特定の人物の睡眠の取り方と、組織に属する人物であって特定の人物とは異なる人物の睡眠の取り方との関係を踏まえて、特定の人物の組織での働き方を評価できるようになる。
【００６０】
また、本実施形態では、人物評価部１４は、複数の人物の生体情報および特定の人物の業務情報に基づき、特定の人物の評価に関する情報を生成する。
この場合、特定の人物の業務を踏まえて、特定の人物の組織での働き方を評価できるようになる。
【００６１】
また、本実施形態では、複数の人物の生体情報に基づき、組織の評価に関する情報を生成する。
この場合、複数の人物の睡眠の取り方を踏まえて、組織を評価できるようになる。
【００６２】
また、本実施形態では、リスク評価部１５は、働き方に関する情報として、特定の人物の休職に関する情報を生成する。
この場合、組織に属する特定の人物の睡眠の取り方と、組織に属する人物であって特定の人物とは異なる人物の睡眠の取り方との関係を踏まえて、特定の人物の休職に関して管理できるようになる。
【００６３】
また、本実施形態では、リスク評価部１５は、働き方に関する情報として、休職中である特定の人物の復職に関する情報を生成する。
この場合、組織に属する特定の人物の睡眠の取り方と、組織に属する人物であって特定の人物とは異なる人物の睡眠の取り方との関係を踏まえて、特定の人物の復職に関して管理できるようになる。
【００６４】
また、本実施形態では、休暇提案部１６は、複数の人物の生体情報および特定の人物の業務情報に基づき、働き方に関する情報として、特定の人物の休暇に関する情報を生成する。
この場合、組織に属する特定の人物の睡眠の取り方と、組織に属する人物であって特定の人物とは異なる人物の睡眠の取り方との関係を踏まえて、特定の人物の休暇に関して管理できるようになる。
【００６５】
＜組織人の評価結果の表示例＞
次に、組織人の働き方の評価結果の表示例について説明する。
図９は、組織人評価通知画面４０を示した図である。組織人評価通知画面４０は、組織人の組織での働き方の評価結果を通知するための画面である。組織人評価通知画面４０は、例えば、ユーザが、端末３０において、評価結果が表示される対象者としての組織人を選択することにより、端末３０の表示部３１に表示される。また、組織人評価通知画面４０は、人物評価表示処理（図５参照）が行われたことにより表示されてもよい。組織人評価通知画面４０には、対象者通知部４１と、評価結果通知部４２と、順位通知部４３と、チャート表示部４６と、分布表示部４７とが表示されている。なお、組織人評価通知画面４０に表示される情報は、人物評価部１４に生成された情報である。
【００６６】
対象者通知部４１には、評価結果が表示される対象者の名前が表示されている。図示の例では、対象者通知部４１には、対象者の名前である「Ａさん」の文字が表示されている。
評価結果通知部４２には、対象者の組織での働き方の評価結果が１００点を満点とした場合の点数により表示されている。評価結果通知部４２に表示されている点数は、高いほど、対象者の組織での働き方が高評価であることを意味する。図示の例では、「７５点」という評価結果が示されている。
【００６７】
順位通知部４３には、対象者の評価結果の順位が示されている。社内順位選択ボタン４４が選択されると、順位通知部４３には、組織に属する全ての組織人を対象とした場合の順位が表示される。また、部署内順位選択ボタン４５が選択されると、順位通知部４３には、対象者が属する部署等、組織のうちの対象者が属する部門における各組織人を対象とした場合の順位が表示される。図示の例では、社内順位選択ボタン４４が選択されており、順位通知部４３には、「社内順位：２１０位／１０００人」という情報が表示されている。
【００６８】
チャート表示部４６には、レーダーチャートが表示されている。このレーダーチャートの各項目は、組織人の組織での働き方の評価における各評価項目である。図示の例では、各評価項目として、「睡眠時間」、「睡眠時間帯」、「睡眠深度」、「業務度」が示されている。業務度とは、組織人の業務情報に基づいて評価される組織人の働き方の評価項目である。また、チャート表示部４６には、評価項目ごとに、評価対象者の評価結果と、組織に属する各組織人の評価結果の平均値とが示されている。
なお、評価結果通知部４２に示された評価結果は、チャート表示部４６に示された評価項目ごとの評価結果を全て踏まえた結果である。すなわち、チャート表示部４６に示された各評価項目において高評価の評価結果であるほど、評価結果通知部４２にはより高評価の評価結果が示される。
【００６９】
分布表示部４７には、対象者が属する組織における各組織人に関する情報の分布が表示される。睡眠時間帯選択ボタン４９が選択されると、分布表示部４７には、各組織人の睡眠の時間帯の分布が表示される。睡眠深度選択ボタン５０が選択されると、分布表示部４７には、各組織人の睡眠深度の分布が表示される。業務度選択ボタン５１が選択されると、分布表示部４７には、各組織人の業務度の分布が表示される。睡眠時間選択ボタン５２が選択されると、分布表示部４７には、各組織人の睡眠時間の分布が表示される。図示の例では、睡眠時間選択ボタン５２が選択されており、分布表示部４７には、睡眠時間ごとの組織人の人数の分布が表示されている。
【００７０】
また、分布表示部４７には、対象者識別部４８が表示されている。対象者識別部４８には、分布表示部４７に示された分布における対象者の位置を識別するための情報が表示されている。図示の例では、対象者識別部４８として、対象者の名前を示す「Ａさん」の文字が、対象者が属する睡眠時間を示す矢印とともに表示されている。なお、図示の分布に示されている睡眠時間は、例えば、人物評価部１４の評価の対象となった期間における各組織人の平均の睡眠時間である。
【００７１】
例えば、組織人の管理者は、この組織人評価通知画面４０に表示されている情報を、対象者の評価に用いることができる。また、組織における各組織人の睡眠の取り方と、対象者の睡眠の取り方との関係を踏まえた、対象者の現在の業務に対する適正を判定することができる。
【００７２】
＜組織人の評価結果の他の表示例＞
次に、組織人の評価結果の他の表示例について説明する。
図１０は、組織人評価比較画面６０を示した図である。組織人評価比較画面６０は、一の組織人の評価結果と、一の組織人とは異なる他の一の組織人の評価結果とを比較するための画面である。ここで、例えば、ユーザが、端末３０において、組織における同じ部署に属する一の組織人と他の一の組織人とを選択した場合に、選択された一の組織人の評価結果と他の一の組織人の評価結果とを比較する態様により組織人評価比較画面６０が表示されてもよい。なお、組織人評価比較画面６０における比較対象は、組織における同じ部署に属する者でなくてもよい。組織人評価比較画面６０には、対象者通知部６１と、評価結果通知部６２と、順位通知部６３と、チャート表示部６６と、分布表示部６７とが表示されている。
【００７３】
対象者通知部６１には、評価結果が表示される対象者である一の対象者の名前と、他の一の対象者の名前とが表示されている。図示の例では、対象者通知部６１には、一の対象者の名前である「Ａさん」の文字と、他の一の対象者の名前である「Ｂさん」の文字とが表示されている。
評価結果通知部６２には、一の対象者の働き方の評価結果と、他の一の対象者の働き方の評価結果とが表示されている。図示の例では、評価結果通知部６２には、「Ａさん」の評価結果としての「７５点」の点数と、「Ｂさん」の評価結果としての「６０点」の点数とが表示されている。
【００７４】
順位通知部６３には、一の対象者の評価結果の順位と、他の一の対象者の評価結果の順位とが示されている。社内順位選択ボタン６４が選択されると、順位通知部６３には、組織に属する全ての組織人を対象とした場合の順位が表示される。また、部署内順位選択ボタン６５が選択されると、順位通知部６３には、組織のうちの対象者が属する部門における各組織人を対象とした場合の順位が表示される。図示の例では、部署内順位選択ボタン６５が選択されており、順位通知部６３には、「Ａさん」の「６位／４５人」という情報と、「Ｂさん」の「２０位／４５人」という情報とが表示されている。
【００７５】
チャート表示部６６には、レーダーチャートが表示されている。チャート表示部６６に表示されている項目の内容は、組織人評価通知画面４０（図９参照）におけるチャート表示部４６に表示されている項目の内容と同一である。また、チャート表示部６６には、評価項目ごとに、一の対象者の評価結果と、他の一の対象者の評価結果とが示されている。なお、チャート表示部６６に、一の対象者や他の一の対象者の組織に属する各組織人の評価結果の平均値や、対象者が属する部門における各組織人の評価結果の平均値がさらに表示されるようにしてもよい。
【００７６】
分布表示部６７には、一の対象者や他の一の対象者が属する組織における各組織人に関する情報の分布が表示される。睡眠時間帯選択ボタン７０が選択されると、分布表示部６７には、各組織人の睡眠の時間帯の分布が表示される。睡眠深度選択ボタン７１が選択されると、分布表示部６７には、各組織人の睡眠深度の分布が表示される。業務度選択ボタン７２が選択されると、分布表示部６７には、各組織人の業務度の分布が表示される。睡眠時間選択ボタン７３が選択されると、分布表示部６７には、各組織人の睡眠時間の分布が表示される。図示の例では、睡眠時間選択ボタン７３が選択されており、分布表示部６７には、睡眠時間ごとの組織人の人数の分布が表示されている。
【００７７】
また、分布表示部６７には、第１対象者識別部６８と、第２対象者識別部６９とが表示されている。第１対象者識別部６８には、分布表示部６７に示された分布における一の対象者の位置を識別するための情報が表示されている。図示の例では、第１対象者識別部６８として、一の対象者の名前を示す「Ａさん」の文字が、一の対象者が属する睡眠時間を示す矢印とともに表示されている。第２対象者識別部６９には、分布表示部６７に示された分布における他の一の対象者の位置を識別するための情報が表示されている。図示の例では、第２対象者識別部６９として、他の一の対象者の名前を示す「Ｂさん」の文字が、他の一の対象者が属する睡眠時間を示す矢印とともに表示されている。
【００７８】
＜休職のリスクの評価結果の表示例＞
次に、組織人が休職するリスクの評価結果の表示例について説明する。
図１１は、リスク通知画面８０を示した図である。リスク通知画面８０は、組織人が休職するリスクの評価結果を通知するための画面である。リスク通知画面８０は、例えば、ユーザが、端末３０において、評価結果が表示される対象者としての組織人を選択することにより、端末３０の表示部３１に表示される。また、リスク通知画面８０は、リスク評価表示処理（図６参照）が行われたことにより表示されてもよい。リスク通知画面８０には、対象者通知部８１と、評価結果通知部８２と、順位通知部８３と、改善案通知部８６とが表示されている。なお、リスク通知画面８０に表示される情報は、リスク評価部１５に生成された情報である。
【００７９】
対象者通知部８１には、評価結果が表示される対象者の名前が表示されている。図示の例では、対象者通知部８１には、対象者の名前である「Ｄさん」の文字が表示されている。
評価結果通知部８２には、対象者が休職するリスクの評価結果が１００点を満点とした場合の点数により表示されている。評価結果通知部８２に表示されている点数は、高いほど、対象者が休職するリスクが高いと評価されていることを意味する。図示の例では、「９０点」という評価結果が示されている。
【００８０】
順位通知部８３には、対象者の評価結果の順位が示されている。順位通知部８３には、評価結果通知部８２に示された点数が高いほど、高い順位が表示される。社内順位選択ボタン８４が選択されると、順位通知部８３には、組織に属する全ての組織人を対象とした場合の順位が表示される。また、部署内順位選択ボタン８５が選択されると、順位通知部８３には、対象者が属する部門における各組織人を対象とした場合の順位が表示される。図示の例では、社内順位選択ボタン８４が選択されており、順位通知部８３には、「社内順位：１０位／１０００人」という情報が表示されている。
【００８１】
改善案通知部８６には、対象者の働き方の改善案が表示されている。改善案通知部８６には、勤務時間帯改善案８７と、業務内容改善案８８とが表示されている。
勤務時間帯改善案８７には、対象者の現在の平均の勤務時間帯と、勤務時間帯の改善案とが表示されている。図示の例では、勤務時間帯改善案８７には、「６：３０〜２３：３０」という対象者の現在の平均の勤務時間帯と、「８：３０〜２０：００」という改善案としての勤務時間帯とが表示されている。
業務内容改善案８８には、対象者の現在の業務内容と、勤務時間帯改善案８７に表示されている改善案としての勤務時間帯を実現するための改善案としての業務内容とが表示されている。図示の例では、業務内容改善案８８には、「Ｘプロジェクト」という対象者の現在の業務内容と、「Ｙプロジェクト」という改善案としての業務内容とが表示されている。
【００８２】
＜復職に関する情報の表示例＞
次に、休職中である組織人の復職に関する情報の表示例について説明する。
図１２は、復職情報通知画面９０を示した図である。復職情報通知画面９０は、休職中である組織人の復職に関する情報を通知するための画面である。復職情報通知画面９０は、例えば、ユーザが、端末３０において、復職に関する情報が表示される対象者となる組織人を選択することにより表示される。また、復職情報通知画面９０は、リスク評価表示処理（図６参照）が行われたことにより表示されてもよい。復職情報通知画面９０には、対象者通知部９１と、判定結果通知部９２と、分布表示部９３と、復職案通知部９８とが表示されている。なお、復職情報通知画面９０に表示される情報は、リスク評価部１５に生成された情報である。
【００８３】
対象者通知部９１には、復職に関する情報が表示される対象者の名前が表示されている。図示の例では、対象者通知部９１には、対象者の名前である「Ｅさん」の文字が表示されている。
判定結果通知部９２には、休職中である対象者が復職可能であるか否かについてのリスク評価部１５による判定結果が表示されている。図示の例では、判定結果通知部９２には、対象者が復職可能と判定されたことを示す「復職判定：復職可能」の文字が表示されている。
【００８４】
分布表示部９３には、対象者が属する組織における各組織人に関する情報の分布が表示される。睡眠時間帯選択ボタン９５が選択されると、分布表示部９３には、各組織人の睡眠時間帯の分布が表示される。睡眠深度選択ボタン９６が選択されると、分布表示部９３には、各組織人の睡眠深度の分布が表示される。睡眠時間選択ボタン９７が選択されると、分布表示部９３には、各組織人の睡眠時間の分布が表示される。図示の例では、睡眠時間選択ボタン９７が選択されており、分布表示部９３には、睡眠時間ごとの各組織人の人数の分布が表示されている。また、分布表示部９３には、対象者識別部９４が表示されている。対象者識別部９４には、分布表示部９３に示された分布における対象者の位置を識別するための情報が表示されている。図示の例では、対象者識別部９４として、対象者を示す「Ｅさん」の文字が、対象者が属する睡眠時間を示す矢印とともに表示されている。
【００８５】
復職案通知部９８には、対象者が復職するにあたっての提案事項が表示されている。復職案通知部９８には、復職時期案９９ａと、復職業務案９９ｂとが表示されている。
復職時期案９９ａには、対象者の復職時期の提案に係る情報が表示されている。図示の例では、復職時期案９９ａにおいて、「２０１９年８月１日」が、対象者の復職時期として提案されている。
復職業務案９９ｂには、対象者が復職したときの業務内容の提案に係る情報が表示されている。図示の例では、復職業務案９９ｂにおいて、「Ｚプロジェクト」が、対象者が復職したときの業務内容として提案されている。
【００８６】
＜休暇に関する情報の表示例＞
次に、組織人の休暇に関する情報の表示例について説明する。
図１３は、休暇情報通知画面２００を示した図である。休暇情報通知画面２００は、組織人が休暇を取得すべき日にちに関する情報を通知するための画面である。休暇情報通知画面２００は、例えば、ユーザが、端末３０において、休暇に関する情報が表示される対象者となる組織人を選択することにより表示される。また、休暇情報通知画面２００は、休暇情報表示処理（図７参照）が行われたことにより表示されてもよい。休暇情報通知画面２００には、対象者通知部２０１と、休暇提案情報２０２と、疲労状況通知部２０３とが表示されている。なお、休暇情報通知画面２００に表示される情報は、休暇提案部１６に生成された情報である。
【００８７】
対象者通知部２０１には、休暇に関する情報が表示される対象者の名前が表示されている。図示の例では、対象者通知部２０１には、対象者の名前である「Ａさん」の文字が表示されている。
休暇提案情報２０２には、対象者が休暇を取得すべき日にちとして休暇提案部１６に決定された日にちが表示されている。図示の例では、休暇提案情報２０２には、「７月第３週の金曜日」が、対象者が休暇を取得すべき日にちとして表示されている。
【００８８】
疲労状況通知部２０３には、将来の日にちごとの対象者の疲労度として休暇提案部１６に予測された結果が表示されている。図示の例では、「木曜日」、「金曜日」においては、他の曜日よりも、対象者の疲労度が大きくなることが予測結果として示されている。その一方で、「木曜日」においては、他の曜日よりも対象者の業務量が多くなることが示されている。この結果、対象者が休暇を取得すべき日にちとして「木曜日」が決定されることが休暇提案部１６に制限されており、この結果、休暇を取得すべき日にちとして「金曜日」が提案されている。
【００８９】
＜組織の評価結果の表示例＞
次に、組織の評価結果の表示例について説明する。
図１４は、組織評価通知画面２１０を示した図である。組織評価通知画面２１０は、組織による組織人の働かせ方の評価結果を通知するための画面である。組織評価通知画面２１０は、例えば、ユーザが、端末３０において、組織の評価結果の表示要求を行うことにより表示される。また、組織評価通知画面２１０は、組織評価表示処理（図８参照）が行われたことにより表示されてもよい。組織評価通知画面２１０には、対象組織通知部２１１と、評価結果通知部２１２と、判定結果通知部２１３と、チャート表示部２１４と、分布表示部２１５とが表示されている。
【００９０】
対象組織通知部２１１には、評価結果の表示の対象である組織の名称が表示されている。図示の例では、対象組織通知部２１１には、対象組織の名称である「Ａ会社」の文字が表示されている。
評価結果通知部２１２には、組織による組織人の働かせ方の評価結果が１００点を満点とした場合の点数により表示されている。評価結果通知部２１２に表示されている点数は、高いほど、組織による組織人の働かせ方が高評価であることを意味する。図示の例では、「６５点」という評価結果が示されている。
【００９１】
判定結果通知部２１３には、組織による組織人の働かせ方が非適正であるか否かについての組織評価部１７による判定結果が、非適正と評価される基準値とともに表示されている。図示の例では、判定結果通知部２１３には、組織の働かせ方が非適正ではないことを示す「ブラック企業ではありません」という文字と、非適正と評価される基準値を示す「（評価結果が３０点以下でブラック企業です）」という文字とが表示されている。
【００９２】
チャート表示部２１４には、レーダーチャートが表示されている。レーダーチャートに表示されている項目の内容は、組織人評価通知画面４０（図９参照）におけるチャート表示部４６に表示されている項目の内容と同一である。また、チャート表示部２１４には、評価項目ごとに、対象組織の各組織人の評価結果の平均値と、全ての組織の各組織人の評価結果の平均値とが表示されている。
【００９３】
分布表示部２１５には、対象組織における各組織人に関する情報の分布が表示されている。睡眠時間帯選択ボタン２１６が選択されると、分布表示部２１５には、各組織人の睡眠時間帯の分布が表示される。睡眠深度選択ボタン２１７が選択されると、分布表示部２１５には、各組織人の睡眠深度の分布が表示される。業務度選択ボタン２１８が選択されると、分布表示部２１５には、各組織人の業務度の分布が表示される。睡眠時間選択ボタン２１９が選択されると、分布表示部２１５には、各組織人の睡眠時間の分布が表示される。図示の例では、睡眠時間選択ボタン２１９が選択されており、分布表示部２１５には、睡眠時間ごとの組織人の人数の分布が表示されている。
【００９４】
以上、本発明の実施形態について説明したが、本発明の技術的範囲は上記の実施形態に記載の範囲には限定されない。上記の実施形態に、種々の変更又は改良を加えたものも、本発明の技術的範囲に含まれることは、特許請求の範囲の記載から明らかである。
【００９５】
本実施形態では、リスク通知画面８０（図１１参照）には、対象者が属する組織における各組織人に関する情報の分布が表示されていないが、これに限定されない。
リスク通知画面８０に、各組織人の睡眠の時間帯の分布、各組織人の睡眠深度の分布、各組織人の業務度の分布、各組織人の睡眠時間の分布等が表示されてもよい。
【００９６】
本実施形態では、リスク評価部１５は、組織人が休職するリスクを評価し、組織人が休職するリスクの評価結果に関する情報や、休職のリスクを低くするための働き方の改善案に関する情報を生成しているが、これに限定されない。
例えば、リスク評価部１５は、組織人が離職するリスクを評価し、組織人が離職するリスクの評価結果に関する情報や、離職のリスクを低くするための働き方の改善案に関する情報を生成してもよい。この場合に、リスク評価部１５は、休職に関する情報、および離職に関する情報のうちの両方を生成してもよいし、何れか一方のみを生成するようにしてもよい。
【００９７】
また、リスク評価部１５は、例えば、各組織人についての睡眠に関する情報や業務情報と、一の組織人についての睡眠に関する情報や業務情報との関係から、この一の組織人が病気に罹るリスクを評価してもよい。そして、一の組織人が病気に罹るリスクの評価結果に基づき、この一の組織人の休職や離職のリスクの評価や、一の組織人が休職中である場合においてこの一の組織人が復職可能であるか否かの判定を行ってもよい。病気としては、例えば、うつ病や精神疾患等、睡眠不足を原因として罹り得る病気が挙げられる。もっとも、何れの病気のリスクが評価されてもよい。リスク評価部１５は、例えば、一の組織人の睡眠時間が、各組織人の睡眠時間の平均値に比べて短い場合には、長い場合よりも、一の組織人が病気に罹るリスクを高く評価してもよい。そして、リスク評価部１５は、評価結果から示される病気のリスクが高いほど、この一の組織人の休職や離職のリスクを高く評価してもよい。また、リスク評価部１５は、評価結果から示される病気のリスクの程度が予め定められた度合よりも低い場合には、休職中である一の組織人が復職可能であると判定してもよい。また、組織人が病気に罹るリスクの評価結果は、リスク通知画面８０（図１１参照）や復職情報通知画面９０（図１２参照）に表示されてもよい。
【００９８】
また、休暇提案部１６は、組織人の将来の疲労度を予測するにあたり、この組織人に係る業務情報から特定される業務と、被検者の疲労度の蓄積度とを対応付けてもよい。そして、この業務を組織人の疲労度として、この業務に予め対応付けた疲労度の蓄積度を加味して、組織人の将来の疲労度を予測してもよい。また、休暇提案部１６は、業務情報から特定される業務と、組織人の疲労度の蓄積度との関係を機械学習してもよい。そして、学習の結果に基づいて、組織人の業務ごとに、組織人の疲労度の傾向を予測するようにしてもよい。
【００９９】
また、組織評価部１７は、一の組織における睡眠の指標と、この一の組織と同じ業種に属する他の組織における睡眠の指標との関係から、一の組織による組織人の働かせ方の評価や、一の組織による組織人の働かせ方が非適正であるか否かの判定を行ってもよい。また、組織評価部１７は、一の組織において特定の職種に属する各組織人の睡眠の指標と、他の組織においてこの特定の職種に属する各組織人の睡眠の指標との関係から、一の組織による特定の職種に属する組織人の働かせ方の評価や、一の組織による特定の職種に属する組織人の働かせ方が非適正であるか否かの判定を行ってもよい。さらに、組織評価部１７は、一の組織における職種ごとに、一の組織において対象の職種に属する各組織人の睡眠の指標と、一の組織において対象の職種とは異なる職種に属する各組織人の睡眠の指標との関係から、一の組織による対象の職種に属する組織人の働かせ方の評価や、一の組織による対象の職種に属する組織人の働かせ方が非適正であるか否かの判定を行ってもよい。また、これらの評価結果や判定結果は、組織評価通知画面２１０（図１４参照）に表示されてもよい。
【０１００】
また、本実施形態では、情報取得部１１が、端末３０から業務情報を取得することを説明したが、これに限定されない。
例えば、ビデオカメラ等の撮影手段を用いて組織人を撮影してもよい。さらに、人の言動を解析する解析手段を用いて、撮影された動画に映っている組織人の言動を解析することで、この組織人の業務態度等に関する業務情報を生成し、生成した業務情報を情報取得部１１に送信してもよい。すなわち、情報取得部１１は、端末３０とは異なる機能手段から業務情報を取得してもよい。
【０１０１】
また、人物評価部１４、リスク評価部１５、休暇提案部１６、および組織評価部１７は、組織人の組織での働き方に関する情報を生成するにあたり、何れの期間における生体情報を用いてもよい。例えば、人物評価部１４が、過去の特定の一ヶ月間における組織人の働き方の評価結果に関する情報を生成するにあたり、この特定の一ヶ月間における生体情報を用いてもよい。
また、組織人の組織での働き方に関する情報が示す対象の期間は、この情報の生成を指示する指示者により指定可能であってもよい。
【０１０２】
また、例えば、サーバ１０は、生体情報に基づいて、被検者の交感神経や副交感神経の作用等、被検者の自律神経の働きの度合いを算出し、算出した結果に基づいて組織人の睡眠に関する情報を生成してもよい。そのため、自律神経に関する情報も、広義には、生体情報として捉えられる。
【０１０３】
また、本実施形態では、情報取得部１１は、マットセンサ２０から生体情報を取得しているが、これに限定されない。情報取得部１１は、マットセンサ２０とは異なる生体情報の取得手段から生体情報を取得してもよい。すなわち、情報取得部１１へ生体情報を送信する機能手段は、マットセンサ２０に限定されない。
【０１０４】
また、サーバ１０は、特定の組織人の組織での働き方に関する情報を生成するが、この特定の組織人は、一の組織人であってもよいし、複数の組織人であってもよい。
【０１０５】
また、本実施形態では、サーバ１０が、組織に属する特定の人物の組織での働き方に関する情報を生成する構成としたが、これに限定されない。
例えば、端末３０がサーバ１０の機能を有してもよい。言い換えると、端末３０が、サーバ１０の情報取得部１１、記憶部１２、出力制御部１３、人物評価部１４、リスク評価部１５、休暇提案部１６、組織評価部１７等の機能を備えることとしてもよい。
【０１０６】
また、本発明の実施形態を実現するプログラムは、磁気記録媒体（磁気テープ、磁気ディスクなど）、光記録媒体（光ディスクなど）、光磁気記録媒体、半導体メモリなどのコンピュータが読取可能な記録媒体に記憶した状態で提供し得る。また、インターネットなどの通信手段を用いて提供することも可能である。
【符号の説明】
【０１０７】
１…働き方管理システム、１０…サーバ、１１…情報取得部、１２…記憶部、１３…出力制御部、１４…人物評価部、１５…リスク評価部、１６…休暇提案部、１７…組織評価部、２０…マットセンサ、３０…端末、３１…表示部
【図１】
2020190939.tif 000003
【図２】
2020190939.tif 000004
【図３】
2020190939.tif 000005
【図４】
2020190939.tif 000006
【図５】
2020190939.tif 000007
【図６】
2020190939.tif 000008
【図７】
2020190939.tif 000009
【図８】
2020190939.tif 000010
【図９】
2020190939.tif 000011
【図１０】
2020190939.tif 000012
【図１１】
2020190939.tif 000013
【図１２】
2020190939.tif 000014
【図１３】
2020190939.tif 000015
【図１４】
2020190939.tif 000016